(57)【要約】      （修正有）【課題】確実に粘着テープ終端に折り返し部が形成され、且つその動作が迅速なテープカッターを提供する。【解決手段】粘着テープ１１の引出路に切断刃３１よりも粘着テープ側に第一回動板３３を設け、その下端が、連結板３０によって切断刃側の位置に第二回動板３４下端と連結、引き出された粘着テープを第一回動板先端部３２に貼り付け、僅かな距離を引く事により第二回動板先端部３６が増幅されたスピードと距離で切断刃方向に回動し、切断された粘着テープ端部は、第二回動板先端部３６に貼り付き付勢されたトーションバネにより第一回動板先端部３２に回動して、同時に第一回動板先端部も粘着テープ側に回動し粘着テープ間の張力が無くなるために確実に折り返し部１２が形成できる形成装置を設ける。【選択図】図１
2010111515.tif 000002
【特許請求の範囲】
【請求項１】
支持基台と、上記指示基台の一端部に設けられ、テープを支持するテープ支持部と上記支持基台の他端部に設けられた切断刃とを備え、粘着テープの引き出し過程でその上端部が粘着テープと接触させ得る位置に配置された第一の回動板が設けられ且つ第一回動板よりも切断刃側に第二の回動板が設けられており、その第一回動板と第二回動板は連結部材により連結され互いに連動するように構成されており、第一回動板の上端部の移動距離よりも第二回動板の上端部の移動距離の方が大きくなるように両回動板の回動軸の位置が設定されているとともに、上記第二回動板の上端部が、切断刃による切断動作時にテープに貼り付くように構成され第一及び第二の回動板のいずれかが常時粘着テープ側に、すなわち切断刃と逆方向に付勢する付勢手段を備えたテープカッター。
【請求項２】
付勢手段が弾性体である請求項１記述のテープカッター
【請求項３】
付勢手段がマグネットである請求項１記述のテープカッター
【発明の詳細な説明】
【技術分野】
【０００１】
本発明は粘着テープを引き出して切断したときに粘着テープの切断端部に、折り返し部を形成できるテープカッターに関するものである。
【背景技術】
【０００２】
テープ端部に折り返し部を形成出来るテープカッターとしては下記特許文献１のようなものが提案されている。すなわちテープの先端を折り曲げて粘着面同士を貼り付ける構成として、切断刃の取り付けられた作用碗が粘着テープを引き出した際に、この粘着テープにより切断位置まで引き出され、切断動作によって切断された作用碗がスプリングによりテープ側の、粘着テープが貼り付いたローラーまで回動し、テープ先端部に折り返し部を形成するものである。しかし粘着テープを引き出し、刃の取り付けられた作用碗を切断位置まで引き出すのであるが、引き出し途中で粘着テープが不測に切れてしまうことがある、又テープにより粘着のりの薄い物があり、刃の上を滑り刃が切断位置まで回動しない場合がある。
【０００３】
特許文献２の場合は台座に搭載された粘着テープと同じ台座に設置されたテープカッター刃との間に固定粘着部と可動粘着部となる遥動板の、２つのテープ接着部を設け、固定接着部に付勢された可動接着部に、粘着テープより引き出された粘着テープを貼り付けた状態で切断刃まで引き出し、切断後スプリングで２つの接着部間に張られた粘着テープの可動貼り付け部が元の固定貼り付け部に回動させることにより、粘着テープの粘着面を内側となるテープの輪を形成する構成となっている。
【０００４】
この様に引き出されたテープを揺動板上に貼り付け、切断刃までテープを引き出し切断するのであるが、揺動板がテープ側にある位置から切断刃までテープを貼り付けた状態で回動しなければならず迅速な切断が出来にくいと言う問題点がある。
【０００５】
又、折り返し部を必要とせずテープの切断のみを行う場合は、切断時に搖動板が固定されず、動く為に切断しにくい欠点がある。
【先行技術文献】
【特許文献】
【０００６】
【特許文献１】特公昭５０−３４４７９号  公報
【特許文献２】特開２００６−８４０６  公報
【発明の概要】
【発明が解決しようとする課題】
【０００７】
本発明は上記のような問題を解決し確実に粘着テープ終端に折り返し部が形成され、且つその動作は迅速なテープカッターを提供するものである。
【課題を解決するための手段】
【０００８】
支持基台に粘着テープを支持するテープ支持部と端部に設けられた切断刃とを備へ、粘着テープの引き出し過程でその上端部が粘着テープと接触させ得る位置に配置された第一の回動板が設けられ且つ第一回動板よりも切断刃側に第二の回動板が設けられており、その第一回動板と第二回動板は連結部材により連結され互いに連動するように構成されており、第一回動板の上端部の移動距離よりも第二回動板の上端部の移動距離の方が大きくなるように両回動板の回動軸の位置が設定されているとともに、上記第二回動板の上端部が切断刃による切断動作時に粘着テープが張り付くように構成され、第一及び第二の回動板のいずれかが常時粘着テープ側に、すなわち切断刃と逆方向に付勢する付勢手段が設けられたものである。
【発明の効果】
【０００９】
この発明により引き出された粘着テープを第一回動板先端部に貼り付け僅かな距離を引きながら切断動作により切断するだけで、自動的に迅速確実に粘着テープ先端に折り返し部を形成できると言う利点がある。
【図面の簡単な説明】
【００１０】
【図１】本発明のテープカッターの側面図
【図２】要部の斜視図
【図３】要部の斜視図
【図４】要部の動作を示す側面図
【図５】要部の動作を示す側面図
【図６】要部の動作を示す側面図
【図７】要部の動作を示す側面図
【図８】他の実施形態を示す側面図
【発明を実施するための形態】
【００１１】
本発明の実施形態を図面を用いて説明する。
図１は全体の構成を示す。本発明のテープカッターは重錘（図示せず）を内蔵した重量のある支持基台２２の一端部に、着脱及び回転可能に保持される回転軸部材２３が設けられている。回転軸部材２３は粘着テープ１１の環状の芯１１    aが着脱自在に嵌められる物で本体部材２２の長さ方向の中間部に保持される。
【００１２】
支持基台２２の他端部には保持された回転軸部材２３の中心位置よりも若干高い位置まで延びる起立部２４に、粘着テープ１１の切断を行う切断刃３１が立設されている。この切断刃３１と粘着テープ１１との間が、所望長さに切断される粘着テープ１１を引き出す引き出し路である。この起立部２４には、粘着テープ１１の切断端部に上記の折り返し部１２を形成するのに必要な、以下に説明する部材が保持される。
【００１３】
図２と図３はこれらの部材の構成と動作を示すもので粘着テープ側に第一回動板３３と、切断刃３１側に第二回動板３４が設けられ、それらの回動板の下端部は連結板３０により連結されているが、この第一回動板３３は、中心部より上側に第一回動軸３７を有し、この回動板３３の先端部３２が切断刃３１の方向にわずかな距離を回動するだけで、下端の連結軸部３９は第一回動軸３７の位置により、増幅された距離を回動する。この動きは連結板３０と第二連結軸４０により連結された第二回動板３４に伝わり第３図のように、この第二回動板３４が中心部より下部に第二回動軸３８を有して保持されている為その先端部３６はさらに増幅された距離を回動する。
【００１４】
この第二回動軸３８には先端部３６を第一回動板３３の先端部３２側に付勢するトーションバネ３５が備えられる。また第一回動板３３と第二回動板３４の先端部は幅全体にわたって適宜角度に内向きに折曲され先端部３２に第二回動板の先端部３６が位置したときに、先端部３２よりも僅か下に位置するように先端部３６が形成されている。
【００１５】
この様に構成されたテープカッターは次のように使用される。粘着テープ１１の端部を引き出し図４に仮想線で示したように、粘着テープの引出しを行い第一回動板３３の先端部32に粘着テープを張り付けさらにテープを引き出し図５のようにテープの先端から所望の長さになる位置でテープを切断刃３１に接触させる、これらの状態は第一回動板３３の先端部３２が僅かな距離しか移動していないにも拘らず第二回動板３４の先端部３６は増幅されて移動し切断刃３１に当たりその位置で停止するがこの状態で図６に示すようにテープの先端部を引き下ろし切断刃３１により切断をすると、切断された粘着テープ先端部が第二回動板３４の先端部３２に貼り付きトーションバネ３５の作用により第二回動板３４が第一回動板３３側に回動しその先端部３６が第一回動板３３の先端部３２に接触して停止する、この状態を示すのが図７であって先端部３６が先端部３２に接触する事により粘着テープの端部に折り返し部１２が形成される、この時第一回動板３３もその先端部３２がテープ方向に回動するためテープ２５に若干のたるみが生じ、それによって先端部３２に貼り付いた粘着テープの剥がれる恐れを解消することより確実に折り返し部１２が出来る。
【００１６】
次に図８を用いて他の実施形態について説明する
第一回動板３３が非鉄金属の場合中央部付近に鉄板５を貼り付け、第二回動板３４にマグネット５０のＮ極が第一回動板３３に貼り付けた鉄板５１側を向くように貼り付ける事により第二回動板３４は磁力によって常に第一回動板３３側に引き付けられる状態となるが、粘着テープを引き出し第一回動板３３の先端部３２を粘着テープに貼り付けて引き出し、第二回動板３４が切断刃３１で止まった時にはマグネット５０と鉄板５１の距離が離れる為に第二回動板３４が第一回動板３３側に戻る磁力が弱くなる。
【００１７】
すなわち戻ろうとする力が弱くなるので、起立部内面に第二マグネット５２のＳ極がマグネット５０を向くように貼り付ける事により、マグネット５０の第二マグネット５２方向に向いている面はS極である為、S極とS極が向かい合い磁力の反発力で第二回動板３４を第一回動板３３側に押し戻そうとする状態となる、すなはちこれらの作用はトーションバネと同様の効果がある。
【産業上の利用可能性】
【００１８】
粘着テープの使用状態は殆どが仮止めとして利用されており、確実に接着する場合には耐久性及び信頼性の面から使用されることは極めて少ない、すなはち、簡単に剥がせる事が出来れば仮止めの目的が達成でき、貼り付けられた紙や物品から剥がす時の傷みや汚れが最小限に留める事が出来る為、それらの再利用も出来るなどエコにも繋がるメリットがある。
【符号の説明】
【００１９】
１１・・・粘着テープ
１１a・・・粘着テープの芯
１２・・・折り返し部
２１・・・テープカッター
２２・・・支持基台
２３・・・回転軸部材
２４・・・起立部
２５・・・引き出し路
３０・・・連結版
３１・・・切断刃
３２・・・第一回動板先端部
３３・・・第一回動板
３４・・・第二回動板
３５．・・トーションバネ
３６・・・第二回動板先端部
３７・・・第一回動軸
３８・・・第二回動軸
３９・・・第一連結軸
４０・・・第二連結軸
５０・・・第一マグネットN極
５２・・・第二マグネットS極
【図１】
2010111515.tif 000003
【図２】
2010111515.tif 000004
【図３】
2010111515.tif 000005
【図４】
2010111515.tif 000006
【図５】
2010111515.tif 000007
【図６】
2010111515.tif 000008
【図７】
2010111515.tif 000009
【図８】
2010111515.tif 000010